(57)【特許請求の範囲】
【請求項１】
フィラーまたは側板用の取付部材を、ビスでフレームに取り付ける構造であって、
前記取付部材および前記フレームには、それぞれ大小２種類の開口が同一平面上にそれぞれ複数形成されてなり、
前記大の開口は、前記ビスのネジ部が通り該ビスの頭部が通らない径寸法に設定されているとともに、前記小の開口は、前記ビスのネジ部が締め付けられる径寸法に設定されてなり、
前記取付部材側の大の開口と前記フレーム側の小の開口を整合させたとき、前記取付部材側の小の開口と前記フレーム側の大の開口が整合するように開口が形成されている構造において、
前記取付部材側には、２個の大の開口を結ぶ第一中心線の中央に交差する第二中心線上に２個の小の開口が形成され、前記第一中心線と前記第二中心線の交点から各大の開口と各小の開口までの距離は等しく設定されてなり、
前記フレーム側には、２個の小の開口を結ぶ第三中心線の中央に交差する第四中心線上に２個の大の開口が形成され、前記第三中心線と前記第四中心線の交点から各小の開口と各大の開口までの距離は等しく設定されてなり、
前記取付部材側の第一中心線と第二中心線の交点から各大の開口と各小の開口までの距離は、前記フレーム側の第三中心線と第四中心線の交点から各大の開口と各小の開口までの距離と等しく設定されている
ことを特徴とする取付部材の取付構造。
【発明の詳細な説明】
【技術分野】
【０００１】
本発明は、フィラーまたは側板用等の取付部材をビスでフレームに取り付ける取付構造に関するものである。
【背景技術】
【０００２】
従来、特許文献１に開示されているような配管ユニットが存在し、この配管ユニットでは、横引き配管が内側に配設されたフレームの前面に前板が取り付けられ、天面には天板が設けられ、フレームの側面には側板が取り付けられたものとなっている。
【先行技術文献】
【特許文献】
【０００３】
【特許文献１】特開２００９−２７３７３３号公報
【発明の概要】
【発明が解決しようとする課題】
【０００４】
上記特許文献１に開示されているような配管ユニットでは、フレームの側方に側板を外側から取り付けた後に、フレームが所定位置に設置されるものである。
そのため、施工手順を間違えて、側板を取り付けずにフレームを所定位置に設置した場合、側板とトイレの壁面との間隔が狭く、外側から側板を後から取り付けることが困難となるという問題点があった。また、現場の状況によっては、フレームを一度設置状態から外して、側板を取り付けた後に、再度設置しなければならないという問題点があった。
即ち、従来の側板等はフレームに外側から取り付ける構造であり、フレームの内側から側板を取り付けることはできないものであった。
【課題を解決するための手段】
【０００５】
本発明は、フィラーまたは側板用等の取付部材をフレームの外側からでも内側からでも取り付けでき、フィラーまたは側板の取り付けがフレームの設置前のみならず設置後においても可能となる取付部材の取付構造の提供を目的とし、この目的の少なくとも一部を達成するために以下の手段を採った。
本発明は、フィラーまたは側板用の取付部材を、ビスでフレームに取り付ける構造であって、
前記取付部材および前記フレームには、それぞれ大小２種類の開口が同一平面上にそれぞれ複数形成されてなり、
前記大の開口は、前記ビスのネジ部が通り該ビスの頭部が通らない径寸法に設定されているとともに、前記小の開口は、前記ビスのネジ部が締め付けられる径寸法に設定されてなり、
前記取付部材側の大の開口と前記フレーム側の小の開口を整合させたとき、前記取付部材側の小の開口と前記フレーム側の大の開口が整合するように開口が形成されている構造において、
前記取付部材側には、２個の大の開口を結ぶ第一中心線の中央に交差する第二中心線上に２個の小の開口が形成され、前記第一中心線と前記第二中心線の交点から各大の開口と各小の開口までの距離は等しく設定されてなり、
前記フレーム側には、２個の小の開口を結ぶ第三中心線の中央に交差する第四中心線上に２個の大の開口が形成され、前記第三中心線と前記第四中心線の交点から各小の開口と各大の開口までの距離は等しく設定されてなり、
前記取付部材側の第一中心線と第二中心線の交点から各大の開口と各小の開口までの距離は、前記フレーム側の第三中心線と第四中心線の交点から各大の開口と各小の開口までの距離と等しく設定されている
ことを要旨とする。
【発明の効果】
【０００６】
大の開口間の間隔と小の開口間の間隔は同じで、大の開口を結ぶ線と小の開口を結ぶ線の交点から大の開口、小の開口まで距離は等しく上下左右対称に配置されて、４つの開口が一致するため、取付部材側の大の開口とフレーム側の小の開口を整合させることができるとともに、取付部材側の小の開口に対しフレーム側の大の開口を整合させることができ、内側からビスを締め付けた場合でも、外側からビスを締め付けた場合でも、取付部材を同じ位置に取り付け可能となる。そのため、取付部材に対しフィラーまたは側板を取り付ける場合にも、取り付けの位置変更をしなくて良くなる。また、施工手順を間違えたような場合には、フレームの内側からフィラーまたは側板用の取付部材を後付けすることができ、フィラーまたは側板の取り付けがフレームの設置前のみならず設置後においても可能となる。
【図面の簡単な説明】
【０００７】
【図１】配管ユニットの前面に便器と手摺りを取り付けた設置状態の斜視構成図である。
【図２】図１の正面概略構成図である。
【図３】図１の配管ユニットを構成するフレームの斜視構成図である。
【図４】フレームとフィラー取付部材との要部を拡大して示す分解斜視構成図である。
【図５】図４のフレームとフィラー取付部材をフレーム側から見た要部拡大分解斜視図である。
【図６】フィラー取付部材の拡大斜視構成図である。
【図７】間口調整幅の狭い現場においてフィラー取付部材の短片を正面側にして取り付ける前の分解斜視図である。
【図８】図７の要部拡大分解斜視図である。
【図９】小型のフィラー取付部材の拡大斜視構成図である。
【図１０】図８をフレーム側から見た要部拡大分解斜視図である。
【図１１】フィラー取付部材に形成された２個の大開口と２個の小開口の配置構成図である。
【図１２】２個の大開口と２個の小開口の配置を変更した変更例の配置構成図である。
【図１３】更に２個の大開口と２個の小開口の配置の変更例を示す配置構成図である。
【図１４】フレームに側板取付部材を取り付ける前の分解斜視図である。
【図１５】側板取付部材の拡大斜視構成図である。
【図１６】幅木取付部材の拡大斜視構成図である。
【図１７】側板取付部材とフレームの要部拡大分解斜視図である。
【図１８】図１７の側板取付部材とフレームをフレーム側から見た要部拡大分解斜視図である。
【図１９】側板の取り付け前の分解斜視図である。
【図２０】側板を取り付けたフレームの斜視構成図である。
【発明を実施するための形態】
【０００８】
次に、本発明を実施するための形態を実施例を用いて説明する。
【実施例１】
【０００９】
図１は、前面に便器４と手摺り５と背もたれを取り付けた配管ユニット２の設置状態の斜視構成図であり、図２は、その正面概略構成図である。
配管ユニット２は、内部に給・排水用の配管が設けられて、背壁１ｂに背面を当接させて床面１ａ上に立設され、両側の側壁１ｃ，１ｄ間に隙間なく設置される。
配管ユニット２の前面には、便器４を取り付ける下側前パネル３ａと、その上方の上側前パネル３ｂと、手摺り５を取り付ける右側前パネル３ｃが取り付けられており、下端には幅木６が設けられ、また、側壁１ｄとの隙間を無くすために間口調整用のフィラー７が右端側に取り付けられている。
【００１０】
この配管ユニット２は、図３に斜視図で示すようなフレーム９で構成されている。
フレーム９は、複数の縦材９ａ，９ａ，９ａと複数の横材９ｂ，９ｂが枠組みされ、更に奥行き材９ｃ，９ｃが組み合わされて形成されている。
このフレーム９の図示右端側の縦材９ａに、上下方向に間隔をおいて３個のフィラー取付部材１０，１０，１０がそれぞれビス１１，１１で取り付けられ、このフィラー取付部材１０，１０，１０の前面に前記フィラー７が両面テープによって取り付けられるものである。
【００１１】
なお、図４は、上端側のフィラー取付部材１０とフレーム９の要部分解拡大構成図であり、図５は、図４をフレーム側から見た分解拡大構成図である。また、図６は、フィラー取付部材１０の拡大斜視図である。
【００１２】
上端のフィラー取付部材１０は、図２に示すように、その上端がフレーム９の上面に設置されるカウンター８の底面に当接するような位置に取り付け固定される。これにより、上からの荷重によるカウンター８の変形を、この上端のフィラー取付部材１０で良好に防ぐことができる。
【００１３】
また、下端側のフィラー取付部材１０は、図２および図３に示すように、縦材９ａの下端側に設けられている三角部材１５に、幅木６の右端側が当接する位置に取り付け固定されて、幅木６に正面からの応力がかかった時の幅木６の剥がれや変形を防げるように配置される。
フィラー取付部材１０はＬ型の断面形状に形成され、横幅の広い長片１０ａと、その一端側から９０度折曲して一体形成された横幅の狭い短片１０ｂで構成されている。
なお、図２，図３，図４および図５では、側壁１ｃ，１ｄ間の間口調整幅が広い場合に、フィラー取付部材１０の長片１０ａを正面側にして短片１０ｂを縦材９ａに当接させて取り付ける場合を例示している。
【００１４】
更に図６の大型のフィラー取付部材１０を用いる場合でも、側壁１ｃと側壁１ｄ間の間口調整幅が狭い場合、即ち、フレーム９の右端と側壁１ｄとの間の寸法が狭い場合には、図７に示すように、各フィラー取付部材１０の短片１０ｂ側を正面にして長片１０ａを縦材９ａに当接させて取り付けることができる。
図７の場合の要部拡大図は、図８に示し、フレーム９側から見た要部拡大図は、図１０に示す。
なお、図９に示すような小型のフィラー取付部材１０Ｂを用いることもできる。
【００１５】
各フィラー取付部材１０の長片１０ａおよび短片１０ｂには、それぞれ２個の大開口１２ａ，１２ｂと２個の小開口１３ａ，１３ｂが形成されたものとなっている。
フィラー取付部材１０の短片１０ｂに形成された開口を図１１の拡大図で説明する。
大開口１２ａ，１２ｂは、略水平な第一中心線上に左右に間隔をおいて２個貫通形成されている。この大開口１２ａ，１２ｂを結ぶ第一中心線の中央に交差する第二中心線上には、上下方向に間隔をおいて２個の小開口１３ａ，１３ｂが貫通形成されている。即ち、小開口１３ａ，１３ｂを結ぶ第二中心線の中央に交差する第一中心線上に大開口１２ａ，１２ｂが位置する。
また、この大開口１２ａ，１２ｂ間の距離と小開口１２ａ，１２ｂ間の距離は等しい距離に設定されている。即ち、大開口１２ａ，１２ｂを結ぶ第一中心線と小開口１３ａ，１３ｂを結ぶ第二中心線の交点から大開口１２ａ，１２ｂ、小開口１３ａ，１３までの距離は等しく、大開口１２ａ，１２ｂと小開口１３ａ，１３は上下左右対称に配置されている。
なお、大開口１２ａ，１２ｂは、ビス１１の頭部１１ａは通らないが、ビス１１のネジ部１１ｂが通る径寸法に設定されている。また、小開口１３ａ，１３ｂは、ビス１１のネジ部１１ｂを締め付けてゆくことのできる径寸法に設定されている。
【００１６】
一方、フレーム９の右端の縦材９ａにも、上下に３個所にそれぞれ大開口１２ａ，１２ｂと小開口１２ａ，１２ｂが形成されている。
縦材９ａには、フィラー取付部材１０の大開口１２ａ，１２ｂの位置には小開口１３ａ，１３ｂが形成されているとともに、フィラー取付部材１０の小開口１３ａ，１３ｂの位置には大開口１２ａ，１２ｂが形成されている。
即ち、縦材９ａには、略水平な第三中心線上に左右に間隔をおいて２個の小開口１３ａ，１３ｂが形成されており、この２個の小開口１３ａ，１３ｂを結ぶ第三中心線の中央に交差する第四中心線上には、上下方向に間隔をおいて大開口１２ａ，１２ｂが貫通形成されている。即ち、大開口１２ａ，１２ｂを結ぶ第四中心線の中央に交差する第三中心線上に小開口１３ａ，１３ｂが位置する。
また、この大開口１２ａ，１２ｂ間の距離と小開口１３ａ，１３ｂ間の距離は等しい距離に設定されている。即ち、大開口１２ａ，１２ｂを結ぶ第四中心線と小開口１３ａ，１３ｂを結ぶ第三中心線の交点から大開口１２ａ，１２ｂ、小開口１３ａ，１３までの距離は等しく、大開口１２ａ，１２ｂと小開口１３ａ，１３は上下左右対称に配置される。
なお、縦材９ａの大開口１２ａ，１２ｂを結ぶ第四中心線と小開口１３ａ，１３ｂを結ぶ第三中心線の交点から縦材９ａの大開口１２ａ，１２ｂ、小開口１３ａ，１３までの距離は、フィラー取付部材１０の大開口１２ａ，１２ｂを結ぶ第一中心線と小開口１３ａ，１３ｂを結ぶ第二中心線の交点からフィラー取付部材１０の大開口１２ａ，１２ｂ、小開口１３ａ，１３までの距離と等しく設定されている。
そのため、フィラー取付部材１０側の大開口１２ａ，１２ｂと縦材９ａ側の小開口１３ａ，１３ｂを整合させることができ、フィラー取付部材１０側の小開口１３ａ，１３ｂに対し縦材９ａ側の大開口１２ａ，１２ｂを整合させることができる。
【００１７】
フレーム９の外側から縦材９ａにフィラー取付部材１０を取り付けるためには、先ず、フィラー取付部材１０を縦材９ａの外側に当接させる。そして、フィラー取付部材１０の大開口１２ａ，１２ｂと縦材９ａ側の小開口１３ａ，１３ｂを整合させて、ビス１１のネジ部１１ｂをフィラー取付部材１０の大開口１２ａ，１２ｂ内にそれぞれ通して、外側からビス１１の頭部１１ａを回し、ビス１１を締め付けてフィラー取付部材１０を縦材９ａに取り付け固定することができる。
即ち、外側からフィラー取付部材１０をビス１１で取り付ける際には、フィラー取付部材１０の横方向の大開口１２ａ，１２ｂと縦材９ａ側の横方向の小開口１３ａ，１３ｂが整合されて、外側からビス１１が締め付けられるものである。
通常は、このように外側からフィラー取付部材１０を取り付け固定してからフレーム９を所定位置に設置する。
本発明においては、フィラー取付部材１０を縦材９ａに取り付ける前にフレーム９を所定位置に設置した場合でも、フレーム９の内側からビス１１をフィラー取付部材１０に締め付けて、フィラー取付部材１０を内側から後付けすることができるものである。
【００１８】
縦材９ａにフィラー取付部材１０をフレーム９の内側から取り付けるためには、先ず、フィラー取付部材１０を縦材９ａの外側に当接させる。そして、フィラー取付部材１０の小開口１３ａ，１３ｂと縦材９ａ側の大開口１２ａ，１２ｂを整合させて、縦材９ａの内側に形成されている大径孔１４内から、ビス１１のネジ部１１ｂを縦材９ａに形成されている縦方向の大開口１２ａ，１２ｂ内にそれぞれ通し、ビスのネジ部１１ｂをフィラー取付部材１０側の縦方向の小開口１３ａ，１３ｂ内にそれぞれ締め付けてゆく。このように、内側からビス１１を締め付けてフィラー取付部材１０を縦材９ａに取り付け固定することができる。
即ち、フレーム９の内側からビス１１を締め付ける場合には、フレームの縦材９ａ側の縦方向の大開口１２ａ，１２ｂとフィラー取付部材１０側の縦方向の小開口１３ａ，１３ｂが整合されて、内側からビス１１が締め付けられるものである。
【００１９】
なお、図１１のような大開口と小開口の配置パターンでは、大開口１２ａ，１２ｂ間の間隔と小開口１３ａ，１３ｂ間の間隔は同じで、大開口１２ａ，１２ｂを結ぶ線と小開口１３ａ，１３ｂを結ぶ線の交点から大開口１２ａ，１２ｂ、小開口１３ａ，１３までの距離は等しく上下左右対称に配置されて、４つの開口が一致するため、内側からビス１１を締め付けた場合でも、外側からビス１１を締め付けた場合でも、フィラー取付部材１０を同じ位置に取り付け可能で、強度は同じであり、強固にフィラー取付部材１０を縦材９ａに固定できるものとなる。
【００２０】
なお、図１２および図１３に示すものは、大開口と小開口の配置パターンの変更例である。
図１２の場合には、フィラー取付部材１０の短片１０ｂに、略水平な中心線上に左右に間隔をおいて２個の大開口１２ａ，１２ｂが貫通形成され、その下方の平行な中心線上に、大開口１２ａ，１２ｂの間隔と同間隔で、左右に間隔をおいて、大開口１２ａ，１２ｂを通る縦線上に位置するように２個の小開口１３ａ，１３ｂが貫通形成されたものである。
この図１２のフィラー取付部材１０を用いる場合は、フレーム９の縦材９ａ側には、フィラー取付部材１０の２つの大開口１２ａ，１２ｂと縦材９ａの２つの小開口１３ａ，１３ｂを整合させたときに、フィラー取付部材１０の小開口１３ａ，１３ｂと縦材９ａの大開口１２ａ，１２ｂも整合するように開口が形成される。これにより、４つの開口が一致するため、内側からビス１１を締め付けた場合でも、外側からビス１１を締め付けた場合でも、フィラー取付部材１０を同じ位置に取り付けできるものとなる。
【００２１】
更に図１３の変更例では、縦方向に一列に同間隔で上方から大開口１２ａ，小開口１３ａ，小開口１３ｂ，大開口１２ｂの順でそれぞれ貫通形成させたものである。
このようなフィラー取付部材１０を用いる場合は、フレーム９の縦材９ａ側には、フィラー取付部材１０の２つの大開口１２ａ，１２ｂと縦材９ａの２つの小開口１３ａ，１３ｂを整合させたときに、フィラー取付部材１０の小開口１３ａ，１３ｂと縦材９ａの大開口１２ａ，１２ｂも整合するように開口が形成される。これにより、４つの開口が一致するため、内側からビス１１を締め付けた場合でも、外側からビス１１を締め付けた場合でも、フィラー取付部材１０を同じ位置に取り付けできるものとなる。
【実施例２】
【００２２】
次に、側板取付部材１６および幅木取付部材１７をフレーム９の縦材９ａに取り付ける場合を説明する。
側板取付部材１６は側板１８をフレーム９に取り付けるための取付部材となり、幅木取付部材１７はフレーム９に幅木６を取り付ける取付部材となる。
図１４は、フレーム９と側板取付部材１６と幅木取付部材１７との分解斜視図を示す。
この側板取付部材１６は図１５に拡大して示し、また、幅木取付部材１７は図１６に拡大して示す。
なお、図１７は、図１４の要部拡大図を示しており、図１８は、図１７をフレーム側から見た要部拡大図である。
【００２３】
側板取付部材１６には、大径の大径孔１６ａと、タッピンネジを締め付けるネジ孔１６ｂ，１６ｂが形成されており、大径孔１６ａと反対側の面には、図１１で示したフィラー取付部材１０の短片１０ｂと同様のパターンの大開口１２ａ，１２ｂおよび小開口１３ａ，１３ｂが貫通形成されている。
同様に、幅木取付部材１７の大径孔１７ａの反対側の面にも、図１１で示したフィラー取付部材１０の短片１０ｂと同様のパターンの大開口１２ａ，１２ｂと小開口１３ａ，１３ｂが貫通形成されている。
【００２４】
一方、図１７，図１８に示すように、フレーム９の縦材９ａには、側板取付部材１６の２つの大開口１２ａ，１２ｂと縦材９ａの２つの小開口１３ａ，１３ｂを整合させたときに、側板取付部材１６の小開口１３ａ，１３ｂと縦材９ａの大開口１２ａ，１２ｂも整合するように開口が形成される。
従って、側板取付部材１６を縦材９ａに外側から取り付ける場合、即ち、ビス１１を外側から締め付ける場合には、図１７に示すように、ビス１１，１１を側板取付部材１６の大径孔１６ａ内を通して、側板取付部材１６の大開口１２ａ，１２ｂにそれぞれ通す。
ビス１１のネジ部１１ｂをフレーム９の縦材９ａ側の小開口１３ａ，１３ｂにそれぞれネジを切りながら締め付けてゆき、外側からビス１１を締め付けて側板取付部材１６を縦材９ａに取り付けることができる。
【００２５】
逆に、図１８のように、側板取付部材１６を縦材９ａに内側から取り付ける場合、即ち、内側からビス１１を締め付ける場合には、縦材９ａの大径孔１４内にビス１１，１１を入れて、ビス１１のネジ部１１ｂを縦材９ａの縦方向の大開口１２ａ，１２ｂに通し、ビスのネジ部１１ｂを側板取付部材１６の小開口１３ａ，１３ｂにそれぞれ締め付けてゆき、内側からビス１１を締め付けて縦材９ａに側板取付部材１６を取り付けることができる。
幅木取付部材１７においても同様に、図１１で示したフィラー取付部材１０の短片１０ｂと同様のパターンの大開口１２ａ，１２ｂと小開口１３ａ，１３ｂが貫通形成されており、ビス１１を外側からでも内側からでも締め付けて幅木取付部材１７を取り付けることができるものである。
【００２６】
このようにして側板取付部材１６，１６，１６をフレーム９に取り付け固定した後に、図１９に示すように、床面１ａ上に施工治具１９を置き、この上に側板１８を立てて仮置きする。
この状態で、図２０に示すように、フレーム９の内側からタッピンネジ１１を側板取付部材１６のネジ孔１６ｂ，１６ｂにそれぞれ通して、タッピンネジ１１を側板１８に締め付け、側板１８を側板取付部材１６に強固に固定することができるものである。
なお、施工治具１９は、側板１８を取り付けた後に取り除かれる。
また、幅木取付部材１７をフレーム９に取り付けた後、幅木６が、フレーム９下側の横材の前面および幅木取付部材１７に両面テープによって取り付けられるものである。
【符号の説明】
【００２７】
１ａ  床面
１ｃ，１ｄ  側壁
２  配管ユニット
３ａ，３ｂ，３ｃ  前パネル
６  幅木
７  フィラー
８  カウンター
９  フレーム
９ａ  縦材
９ｂ  横材
１０  フィラー取付部材
１０ａ  長片
１０ｂ  短片
１１  ビス
１１ａ  頭部
１１ｂ  ネジ部
１２ａ，１２ｂ  大開口
１３ａ，１３ｂ  小開口
１４，１６ａ，１７ａ  大径孔
１６  側板取付部材
１６ｂ  ネジ孔
１７  幅木取付部材
１８  側板
【図１】
0005683304.tif 000002
【図２】
0005683304.tif 000003
【図３】
0005683304.tif 000004
【図４】
0005683304.tif 000005
【図５】
0005683304.tif 000006
【図６】
0005683304.tif 000007
【図７】
0005683304.tif 000008
【図８】
0005683304.tif 000009
【図９】
0005683304.tif 000010
【図１０】
0005683304.tif 000011
【図１１】
0005683304.tif 000012
【図１２】
0005683304.tif 000013
【図１３】
0005683304.tif 000014
【図１４】
0005683304.tif 000015
【図１５】
0005683304.tif 000016
【図１６】
0005683304.tif 000017
【図１７】
0005683304.tif 000018
【図１８】
0005683304.tif 000019
【図１９】
0005683304.tif 000020
【図２０】
0005683304.tif 000021